(57)【要約】【課題】積載部に対応付けて印刷媒体の属性を登録することを容易にする。【解決手段】それぞれが複数の印刷媒体を積載する複数の積載部と、選択された前記積載部から前記印刷媒体を搬出し、搬出した前記印刷媒体に印刷する印刷部と、前記複数の積載部のいずれかに所定の操作がなされた場合に、前記所定の操作がなされた前記積載部に積載される前記印刷媒体の属性の登録を受け付けるための登録画面を表示画面に表示させ、前記登録画面を用いて登録を受け付けた前記印刷媒体の属性を記憶する登録管理部と、を備え、前記登録管理部は、前記所定の操作がなされた後に前記登録がなされていない前記積載部の各々に対応する選択要素を前記登録画面に選択可能に配置するとともに、選択された前記選択要素に対応する前記積載部に積載される前記印刷媒体の前記属性を登録するための登録要素を前記登録画面に配置する、印刷システム。【選択図】図３
2015047709.tif 000002
【特許請求の範囲】
【請求項１】
それぞれが複数の印刷媒体を積載する複数の積載部と、
選択された前記積載部から前記印刷媒体を搬出し、搬出した前記印刷媒体に印刷する印刷部と、
前記複数の積載部のいずれかに所定の操作がなされた場合に、前記所定の操作がなされた前記積載部に積載される前記印刷媒体の属性の登録を受け付けるための登録画面を表示画面に表示させ、前記登録画面を用いて登録を受け付けた前記印刷媒体の前記属性を記憶する登録管理部と、
を備え、
前記登録管理部は、前記所定の操作がなされた後に前記登録がなされていない前記積載部の各々に対応する選択要素を前記登録画面に選択可能に配置するとともに、選択された前記選択要素に対応する前記積載部に積載される前記印刷媒体の前記属性を登録するための登録要素を前記登録画面に配置する、
印刷システム。
【請求項２】
前記選択要素はタブである、
請求項１に記載の印刷システム。
【請求項３】
前記登録管理部は、前記選択要素を前記登録画面に複数配置する場合、前記複数の積載部同士の位置関係に対応する位置関係でそれぞれの前記選択要素を前記登録画面に配置する、
請求項１または２に記載の印刷システム。
【請求項４】
前記登録管理部は、前記選択要素を前記登録画面に複数配置する場合、前記所定の操作がなされた順に対応する位置関係でそれぞれの前記選択要素を前記登録画面に配置する、
請求項１又は２に記載の印刷システム。
【請求項５】
前記所定の操作は、前記積載部への前記印刷媒体の載置をともない、
前記登録管理部は、前記印刷媒体が載置されていない前記積載部について前記選択要素および前記登録要素を前記登録画面に配置しない、
請求項１から４のいずれか一項に記載の印刷システム。
【請求項６】
前記複数の積載部のいずれかを選択して印刷を指示する印刷指示部をさらに備え、
前記登録管理部は、対応する前記選択要素が前記登録画面に配置されている前記積載部が選択されて前記印刷が指示された場合、選択された前記積載部に対応する前記選択要素を前記登録画面から除去し、指示された前記印刷において指定される前記属性を、選択された前記積載部に積載される前記印刷媒体の属性として記憶する、
請求項１から５のいずれか一項に記載の印刷システム。
【請求項７】
前記登録要素は、前記登録画面に配置されたすべての前記選択要素について前記属性を一括登録するための一括登録ボタンを含む、
請求項１から６のいずれか一項に記載の印刷システム。
【請求項８】
前記登録要素は、選択された前記選択要素について前記属性を登録するための個別登録ボタンを含む、
請求項１から６のいずれか一項に記載の印刷システム。
【発明の詳細な説明】
【技術分野】
【０００１】
本発明は印刷システムに関する。
【背景技術】
【０００２】
従来、給紙カセットを複数装着できる印刷システムにおいて、用紙の補充や入替のために給紙カセットが装着されたときに、給紙カセットに積載された用紙のサイズや紙質を登録するための登録画面を表示する技術が知られている。
【先行技術文献】
【特許文献】
【０００３】
【特許文献１】特開２００２−２７８３７７号公報
【発明の概要】
【発明が解決しようとする課題】
【０００４】
ところで、複数の給紙カセットが次々に装着されるとき、次々に登録画面が重畳して表示されると、表示されている登録画面と給紙カセットの対応関係が分かり難くなるという問題がある。
【０００５】
本発明は、このような問題を解決するために創作されたものであって、積載部に対応付けて印刷媒体の属性を登録することを容易にすることを目的の１つとする。
【課題を解決するための手段】
【０００６】
（１）上記目的を達成するための印刷システムは、それぞれが複数の印刷媒体を積載する複数の積載部と、選択された前記積載部から前記印刷媒体を搬出し、搬出した前記印刷媒体に印刷する印刷部と、前記複数の積載部のいずれかに所定の操作がなされた場合に、前記所定の操作がなされた前記積載部に積載される前記印刷媒体の属性の登録を受け付けるための登録画面を表示画面に表示させ、前記登録画面を用いて登録を受け付けた前記印刷媒体の前記属性を記憶する登録管理部と、を備え、前記登録管理部は、前記所定の操作がなされた後に前記登録がなされていない前記積載部の各々に対応する選択要素を前記登録画面に選択可能に配置するとともに、選択された前記選択要素に対応する前記積載部に積載される前記印刷媒体の前記属性を登録するための登録要素を前記登録画面に配置する。
【０００７】
本発明によると、特定の積載部に対応付けて印刷媒体の属性を登録するための登録要素を選択可能にするために、その特定の積載部を選択するための選択要素を登録画面に配置するため、それぞれが複数の印刷媒体を積載する複数の積載部に対応付けて印刷媒体の属性を登録することが容易になる。ここで登録画面は、表示装置の画面の所定の領域を構成する画像であって、表示装置の画面全体の画像であっても良いし、表示装置の画面の一部の連続領域を構成する画像であっても良い。
【０００８】
（２）上記目的を達成するための印刷システムにおいて、前記選択要素はタブであってもよい。
この構成を採用することにより、選択要素の選択状態を認識することが容易になるとともに、登録画面に配置されている登録要素がいずれの選択要素に対応しているかを認識することが容易になる。
【０００９】
（３）上記目的を達成するための印刷システムにおいて、前記登録管理部は、前記選択要素を前記登録画面に複数配置する場合、前記複数の積載部同士の位置関係に対応する位置関係でそれぞれの前記選択要素を前記登録画面に配置してもよい。
この構成を採用することにより、選択要素と積載部との対応関係を認識することが容易になる。
【００１０】
（４）上記目的を達成するための印刷システムにおいて、前記登録管理部は、前記選択要素を前記登録画面に複数配置する場合、前記所定の操作がなされた順に対応する位置関係でそれぞれの前記選択要素を前記登録画面に配置してもよい。
この構成を採用することにより、選択要素と積載部との対応関係を認識することが容易になる。
【００１１】
（５）上記目的を達成するための印刷システムにおいて、前記所定の操作は、前記積載部への前記印刷媒体の載置をともない、前記登録管理部は、前記印刷媒体が載置されていない前記積載部について前記選択要素および前記登録要素を前記登録画面に配置しないでもよい。
この構成を採用することにより、印刷媒体の属性を対応する登録することが無意味な積載部について登録画面に選択要素および登録要素が配置されることを防止できる。
【００１２】
（６）上記目的を達成するための印刷システムにおいて、前記複数の積載部のいずれかを選択して印刷を指示する印刷指示部をさらに備え、前記登録管理部は、対応する前記選択要素が前記登録画面に配置されている前記積載部が選択されて前記印刷が指示された場合、選択された前記積載部に対応する前記選択要素を前記登録画面から除去し、指示された前記印刷において指定される前記属性を、選択された前記積載部に積載される前記印刷媒体の属性として記憶してもよい。
この構成を採用することにより、ユーザーは登録画面を用いて印刷媒体の属性を登録する操作を省略することができる。
【００１３】
（７）上記目的を達成するための印刷システムにおいて、前記登録要素は、前記登録画面に配置されたすべての前記選択要素について前記属性を一括登録するための一括登録ボタンを含んでもよい。
この構成を採用することにより、登録画面を用いて印刷媒体の属性を登録するための操作数を低減することができる。
【００１４】
（８）上記目的を達成するための印刷システムにおいて、前記登録要素は、選択された前記選択要素について前記属性を登録するための個別登録ボタンを含んでもよい。
この構成を採用することにより、ユーザーは登録毎に選択要素を登録画面から除去できるようになる。
【図面の簡単な説明】
【００１５】
【図１】本発明の実施形態にかかる模式図。
【図２】本発明の実施形態にかかるフローチャート。
【図３】本発明の実施形態にかかる画面遷移図。
【図４】本発明の実施形態にかかるフローチャート。
【図５】本発明の実施形態にかかる画面遷移図。
【図６】本発明の実施形態にかかるフローチャート。
【図７】本発明の実施形態にかかる画面遷移図。
【図８】本発明の実施形態にかかるフローチャート。
【図９】本発明の実施形態にかかる画面遷移図。
【図１０】本発明の実施形態にかかる画面遷移図。
【図１１】本発明の実施形態にかかる画面遷移図。
【図１２】本発明の実施形態にかかる画面遷移図。
【発明を実施するための形態】
【００１６】
以下、本発明の実施の形態を添付図面を参照しながら説明する。尚、各図において対応する構成要素には同一の符号が付され、重複する説明は省略される。
【００１７】
１．印刷システムの構成
本発明の一実施例としての印刷システム１の構成を図１に示す。複写機１０は、第一給紙カセット１３１、第二給紙カセット１３２、第三給紙カセット１３３と、印刷部１６と、図示しないスキャナーと、操作部１４と、制御部１５とを備える。複写機１０は、単体で複写、画像の読み取りおよび印刷が可能である。またＰＣ２０は、複写機１０の制御プログラムを実行することにより、複写機１０に印刷や画像の読み取りを指示することができる。複写機１０には、複写機に印刷や画像の読み取りを指示するこのようなＰＣ２０や携帯型情報端末を複数接続することができる。印刷システム１は、複写機１０単体で、または、複写機１０と、複写機１０に印刷等を指示するこれらの情報端末とで構成される。
【００１８】
積載部としての第一給紙カセット１３１、第二給紙カセット１３２、第三給紙カセット１３３は、それぞれに複数の紙Ｐを積載できる箱である。第一給紙カセット１３１、第二給紙カセット１３２、第三給紙カセット１３３は、印刷部１６に装着したり、印刷部１６から取り出すことができる。
【００１９】
印刷部１６には、第一給紙カセット１３１、第二給紙カセット１３２、第三給紙カセット１３３に積載された印刷媒体としての紙Ｐを１枚ずつ搬出して図示しない印刷ヘッドに搬送する図示しない搬送ローラーが複数備えられている。印刷ヘッドにはインクジェット方式、レーザー方式、リソグラフ方式等、どのような印刷方式を採用しても良い。
【００２０】
印刷部１６には、第一給紙カセット１３１、第二給紙カセット１３２、第三給紙カセット１３３が装着されているか否かを検出するための脱着センサー１２１，１２２，１２３が備えられている。脱着センサー１２１，１２２，１２３には、接触方式を用いても良いし、非接触方式を用いてもよい。
【００２１】
印刷部１６には、印刷部１６に装着されている状態において第一給紙カセット１３１、第二給紙カセット１３２、第三給紙カセット１３３に紙Ｐが１枚以上積載されているか否かを検出するための紙センサー１１１、１１２、１１３が備えられている。紙センサー１１１，１１２，１１３には、非接触方式を用いても良いし、接触方式を用いても良い。また、印刷部１６に紙センサーを設ける代わりに、第一給紙カセット１３１、第二給紙カセット１３２、第三給紙カセット１３３のそれぞれに紙センサーを設けて制御部１５と接続しても良い。
【００２２】
操作部１４は、印刷指示部として機能するタッチパネルである。
制御部１５は、図示しないプロセッサ、メモリ、不揮発性の外部記憶装置、入出力回路、画像処理ＡＳＩＣ等を備えている。制御部１５は、不揮発性の外部記憶装置からファームウェアをメモリに読み込んでプロセッサで実行することにより、印刷部１６および操作部１４を制御する。制御部１５は、ファームウェアを構成しているＵＩモジュールを実行しているとき、登録管理部として機能する。
【００２３】
２．用紙登録タブ表示
制御部１５は、紙センサー１１１、１１２，１１３の出力に基づいて、第一給紙カセット１３１、第二給紙カセット１３２、第三給紙カセット１３３の用紙が無くなったことを検出する。第一給紙カセット１３１、第二給紙カセット１３２、第三給紙カセット１３３のいずれかの用紙が無くなると、制御部１５は第一給紙カセット１３１、第二給紙カセット１３２、第三給紙カセット１３３のいずれかの用紙が無くなったことを文字、画像、音声、インジケーターの点滅等によってユーザーに報知する。ユーザーが用紙を補充したり入れ替えたりするために第一給紙カセット１３１、第二給紙カセット１３２、第三給紙カセット１３３を印刷部１６から取り外したことを、脱着センサー１２１，１２２，１２３の出力に基づいて検出すると、印刷部１６から取り外された給紙カセットについて、図２に示す用紙登録タブ表示処理を実行する。以下、第一給紙カセット１３１が印刷部１６から取り外されたときに実行される用紙登録タブ表示処理を一例として説明する。
【００２４】
はじめに制御部１５は、予め決められた所定時間待機する（Ｓ１１）。
次に制御部１５は、脱着センサー１２１の出力に基づいて、第一給紙カセット１３１が印刷部１６に装着されたか否かを判定する（Ｓ１２）。第一給紙カセット１３１が印刷部１６に装着されていない場合、制御部１５はステップＳ１１に戻り、所定時間待機する。
【００２５】
第一給紙カセット１３１が印刷部１６に装着された場合、制御部１５は、紙センサー１１１の出力に基づいて、第一給紙カセット１３１に紙Ｐが１枚以上積載されているか否かを判定する（Ｓ１３）。
【００２６】
第一給紙カセット１３１に紙Ｐが１枚以上積載されていない場合、制御部１５は用紙登録タブ表示処理を終了する。印刷部１６に装着された第一給紙カセット１３１に紙Ｐが１枚以上積載されていないと判定されるということは、ユーザーは印刷部１６から第一給紙カセット１３１を取り外したものの、第一給紙カセット１３１に紙を載置せずに、空の第一給紙カセット１３１を印刷部１６に装着したことになる。たとえ給紙カセットが印刷部１６に装着されたとしても、その給紙カセットに紙Ｐが１枚以上積載されていない場合、制御部１５は用紙登録タブ表示処理を終了して用紙登録タブを表示しない。このため、ユーザーが紙を載置せずに給紙カセットを印刷部１６に装着したにもかかわらず、その給紙カセットについて、意味のない紙の属性登録操作や、用紙登録タブを非表示にする操作を強いられるという不都合がない。
【００２７】
第一給紙カセット１３１に紙Ｐが１枚以上載置されている場合、制御部１５は、第一給紙カセット１３１の用紙登録タブを操作部１４の最前面に表示する（Ｓ１４）。ここで操作部１４の表示について説明する。操作部１４に表示される画像は制御部１５によって形成される。制御部１５は、操作部１４に表示する画像を形成するとレイヤーと対応付けて記憶する。具体的には例えば、操作部１４の表示領域全体に対応する記憶領域がレイヤー数分、メモリに確保される。すなわち、操作部１４の表示領域全体に対応するひとまとまりの記憶領域がレイヤーである。そして制御部１５は操作部１４に表示する画像を形成すると、１つのレイヤーを選択し、そのレイヤーの表示領域に対応するアドレスに、その画像を記憶する。各レイヤーには表示の優先順位が設定される。異なるレイヤーの同じ表示領域にそれぞれ画像が記憶されている場合、制御部１５は、表示順位が高い記憶領域に記憶されている画像を操作部１４に表示する。したがって第一給紙カセット１３１の用紙登録タブとしての画像を最上位のレイヤーに記憶することにより、第一給紙カセット１３１の用紙登録タブが操作部１４の最前面に表示される。
【００２８】
制御部１５は、給紙カセットが印刷部１６から取り外される度に、このような用紙登録タブ表示処理を起動する。複数の給紙カセットが印刷部１６から取り外されている場合、制御部１５は短い時間間隔で処理を切り代えながら複数の用紙登録タブ表示処理を実行する。
【００２９】
３．用紙登録タブ
次に用紙登録タブの構成を図３を参照しながら説明する。
図３Ａに示す用紙登録タブＤ１１は、第一給紙カセット１３１に積載される紙の属性の登録を受け付けるための画面構成要素である。用紙登録タブＤ１１には、用紙サイズを表示するテキストボックスＤ２２と、用紙種類を表示するテキストボックスＤ２５と、用紙サイズを変更するための選択ボタンＤ２１，Ｄ２２と、用紙種類を変更するための選択ボタンＤ２４、Ｄ２６と、決定ボタンＤ２７とが登録要素として配置される。制御部１５は、第一給紙カセット１３１が印刷部１６から取り外されたときに第一給紙カセット１３１に対応付けて記憶されている紙の属性をテキストボックスＤ２２、Ｄ２５の初期値に設定する。
【００３０】
操作部１４の選択ボタンＤ２１または選択ボタンＤ２３が表示されている領域をユーザーが触ると、制御部１５は、選択可能な用紙サイズとして予め設定されている複数の値のうち、現在テキストボックスＤ２２に表示されている値とは異なるいずれか一つを選択し、選択した値をテキストボックスＤ２２に表示する。操作部１４の選択ボタンＤ２４または選択ボタンＤ２６が表示されている領域をユーザーが触ると、制御部１５は、選択可能な用紙種類として予め設定されている複数の値のうち、現在テキストボックスＤ２５に表示されている値とは異なるいずれか一つを選択し、選択した値をテキストボックスＤ２５に表示する。操作部１４の決定ボタンＤ２７が表示されている領域をユーザーが触ると、制御部１５は、テキストボックスＤ２２に表示されている用紙サイズと、テキストボックスＤ２５に表示されている用紙種類とを、第一給紙カセット１３１に対応付けて記憶する。
【００３１】
図３Ｂに示す用紙登録タブＤ１２は、第二給紙カセット１３２に積載される紙の属性の登録を受け付けるための画面構成要素である。制御部１５は、用紙登録タブＤ１２に配置するテキストボックスＤ２２と、テキストボックスＤ２５と、選択ボタンＤ２１，Ｄ２２、Ｄ２４、Ｄ２６と、決定ボタンＤ２７とを、第二給紙カセット１３２に対応付けて管理する。すなわち、第二給紙カセット１３２が印刷部１６から取り外されたときに第二給紙カセット１３２に対応付けて記憶されている紙の属性を用紙登録タブＤ１２に配置されるテキストボックスＤ２２、Ｄ２５の初期値に設定する。また決定ボタンＤ２７が表示されている領域をユーザーが触ると、制御部１５は、用紙登録タブＤ１２に配置されるテキストボックスＤ２２に表示されている用紙サイズと、用紙登録タブＤ１２に配置されるテキストボックスＤ２５に表示されている用紙種類とを、第二給紙カセット１３２に対応付けて記憶する。
【００３２】
図３Ｃに示す用紙登録タブＤ１３は、第三給紙カセット１３３に積載される紙の属性の登録を受け付けるための画面構成要素である。制御部１５は、用紙登録タブＤ１３に配置するテキストボックスＤ２２と、テキストボックスＤ２５と、選択ボタンＤ２１，Ｄ２２、Ｄ２４、Ｄ２６と、決定ボタンＤ２７とを、第三給紙カセット１３３に対応付けて管理する。すなわち、第三給紙カセット１３３が印刷部１６から取り外されたときに第三給紙カセット１３３に対応付けて記憶されている紙の属性を用紙登録タブＤ１３に配置されるテキストボックスＤ２２、Ｄ２５の初期値に設定する。また決定ボタンＤ２７が表示されている領域をユーザーが触ると、制御部１５は、用紙登録タブＤ１３に配置されるテキストボックスＤ２２に表示されている用紙サイズと、用紙登録タブＤ１３に配置されるテキストボックスＤ２５に表示されている用紙種類とを、第三給紙カセット１３３に対応付けて記憶する。
【００３３】
図３Ａ、図３Ｂ、図３Ｃに示すように、用紙登録タブＤ１１，Ｄ１２、Ｄ１３は、右端の凸部を除いて同一形状であって、右端の凸部を除いた残部は同一領域に表示される。そして用紙登録タブＤ１１，Ｄ１２、Ｄ１３それぞれの右端の凸部は、異なる領域に表示される。すなわち、制御部１５は、異なるレイヤーの部分的に重複している表示領域に用紙登録タブＤ１１，Ｄ１２、Ｄ１３を形成する。したがって、最上位のレイヤー以外の用紙登録タブに配置されたテキストボックスＤ２２と、テキストボックスＤ２５と、選択ボタンＤ２１，Ｄ２２、Ｄ２４、Ｄ２６と、決定ボタンＤ２７は非表示となる。そして、いずれの用紙登録タブのレイヤーが最上位に設定されている状態であっても、すべての用紙登録タブＤ１１，Ｄ１２、Ｄ１３の右端が操作部１４に表示される。
【００３４】
それぞれの用紙登録タブの右端の凸部は、選択要素に対応し、対応する給紙カセットの相対的な位置関係に対応する位置関係になるように配置される。すなわち例えば、最上段に装着される第一給紙カセット１３１に対応する用紙登録タブＤ１１の右端の凸部は、用紙登録タブＤ１２の右端の凸部よりも、用紙登録タブＤ１３の右端の凸部よりも、画面上で上の領域に配置される。また再下段に装着される第二給紙カセット１３２に対応する用紙登録タブＤ１３の右端の凸部は、用紙登録タブＤ１１の右端の凸部よりも、用紙登録タブＤ１２の右端の凸部よりも、画面上で下の領域に配置される。このため、給紙カセットと用紙登録タブの対応関係をユーザーが認識しやすくなっている。
【００３５】
制御部１５は、相対的に後に装着された給紙カセットに対応する用紙登録タブのレイヤーの表示順位を、相対的に先に装着された給紙カセットに対応する用紙登録タブのレイヤーの表示順位よりも高く設定する。例えば、まず始めに第一給紙カセット１３１が印刷部１６に装着されたとする。すると、図３Ａに示すように第一給紙カセット１３１に対応する用紙登録タブＤ１１が表示される。この状態では、用紙登録タブＤ１１のみで登録画面Ｄが構成される。そして用紙登録タブＤ１１の決定ボタンＤ２７の表示領域をユーザーが触って第一給紙カセット１３１の紙の属性を登録する前に、第二給紙カセット１３２が印刷部に装着されたとする。すると、図３Ｂに示すように第二給紙カセット１３２に対応する用紙登録タブＤ１２が表示され、用紙登録タブＤ１１は右端の凸部を除いた残部は非表示になる。この状態では、用紙登録タブＤ１１および用紙登録タブＤ１２で登録画面Ｄが構成される。さらに用紙登録タブＤ１２の決定ボタンＤ２７の表示領域をユーザーが触って第二給紙カセット１３２の紙の属性を登録する前に、第三給紙カセット１３３が印刷部に装着されたとする。すると、図３Ｃに示すように第三給紙カセット１３３に対応する用紙登録タブＤ１３が表示され、用紙登録タブＤ１２も右端の凸部を除いた残部が非表示になる。この状態では、用紙登録タブＤ１１、用紙登録タブＤ１２、用紙登録タブＤ１３のすべてによって登録画面Ｄが構成される。
【００３６】
３．用紙登録タブの切換
用紙登録タブの切換処理を図４に示す。図４に示す用紙登録タブ切換処理は、第二給紙カセット１３２に対応する用紙登録タブＤ１２がいずれかのレイヤーに記憶されている期間中、短い時間間隔で繰り返される。
【００３７】
制御部１５は、操作部１４の出力に基づいて、いずれかの用紙登録タブの右端の凸部が表示されている操作部１４の領域をユーザーがさわったか否かを判定する（Ｓ２１）。その領域をユーザーがさわっていない場合、制御部１５は用紙登録タブ切換処理を終了する。その領域をユーザーがさわっている場合、制御部１５は、第二給紙カセット１３２に対応する用紙登録タブＤ１２のレイヤーの表示順位を最上位に設定する。その結果、図５Ａに示すように用紙登録タブＤ１２の全体が操作部１４に表示される（Ｓ２２）。
【００３８】
複数のレイヤーのそれぞれに用紙登録タブが記憶されている場合、それぞれの用紙登録タブについてこのような用紙登録タブ切換処理が実行される。したがって例えば図５Ａに示すように用紙登録タブＤ１２の全体が表示されている状態で、第一給紙カセット１３１に対応する用紙登録タブＤ１１の右端の凸部の領域が触られると、図５Ｂに示すように、用紙登録タブＤ１１の全体が表示される。その結果、第一給紙カセット１３１に対応付けられたテキストボックスＤ２２と、テキストボックスＤ２５と、選択ボタンＤ２１，Ｄ２２、Ｄ２４、Ｄ２６と、決定ボタンＤ２７が表示される。
【００３９】
４．用紙登録タブの消去
用紙登録タブの消去処理を図６に示す。図６に示す用紙登録タブ消去処理は、第一給紙カセット１３１に対応する用紙登録タブＤ１１の全体が操作部１４に表示されている期間中、短い時間間隔で繰り返される。
【００４０】
制御部１５は、操作部１４の出力に基づいて、用紙登録タブＤ１１の決定ボタンＤ２７が表示されている領域をユーザーが触ったか否かを、すなわち、用紙登録タブＤ１１に配置されている決定ボタンＤ２７が選択されたか否かを判定する（Ｓ３１）。用紙登録タブＤ１１に配置されている決定ボタンＤ２７が表示されている領域をユーザーが触っていない場合、制御部１５は用紙登録タブ消去処理を終了する。
【００４１】
その領域をユーザーが触っている場合、制御部１５は、用紙登録タブＤ１１をレイヤーから消去する（Ｓ３２）。その結果、用紙登録タブＤ１１の全部が図７Ａに示すように非表示になる。
【００４２】
次に制御部１５は、用紙登録タブＤ１１に配置されたテキストボックスＤ２２に表示されていた用紙サイズと、用紙登録タブＤ１１に配置されたテキストボックスＤ２５に表示されていた用紙種類とを、第一給紙カセット１３１に対応付けて記憶する（Ｓ３３）。
【００４３】
複数のレイヤーのそれぞれに用紙登録タブが記憶されている場合、それぞれの用紙登録タブについてこのような用紙登録タブ消去処理が実行される。したがって例えば図７Ａに示すように用紙登録タブＤ１２の全体が表示されている状態で、第二給紙カセット１３２に対応する決定ボタンＤ２７の領域が触られると、用紙登録タブＤ１２は非表示となって用紙登録タブＤ１３の全体が表示される。さらに用紙登録タブＤ１３の全体が表示されている状態で、第三給紙カセット１３３に対応する決定ボタンＤ２７の領域が触られると、用紙登録タブＤ１３は非表示となる。なお、用紙登録タブが記憶されるレイヤーよりも下位のレイヤーに、制御部１５は初期画面を記憶している。したがってすべての用紙登録タブが非表示の状態では、例えば図７Ｂに示す初期画面ＤＨが操作部１４に表示される。
【００４４】
５．用紙登録のキャンセル
用紙登録のキャンセル処理を図８に示す。図８に示す用紙登録キャンセル処理は、第一給紙カセット１３１に対応する用紙登録タブＤ１１の一部また全部が操作部１４に表示されている期間中、短い時間間隔で繰り返される。なお、第二給紙カセット１３２に対応する用紙登録タブＤ１２、第三給紙カセット１３３に対応する用紙登録タブＤ１３についても、同様の用紙登録キャンセル処理が実行されるが、説明は省略する。
【００４５】
まず制御部１５は、第一給紙カセット１３１が選択されている印刷ジョブを取得したか否かを判定する（Ｓ４１）。第一給紙カセット１３１が選択されている印刷ジョブを取得していない場合、制御部１５は第一給紙カセット１３１に対応する用紙登録キャンセル処理を終了する。
【００４６】
第一給紙カセット１３１が指定された印刷ジョブを取得した場合、制御部１５は第一給紙カセット１３１に対応する用紙登録タブＤ１１をレイヤーから消去する。その結果、用紙登録タブＤ１１の全体が非表示になる（Ｓ４２）。
【００４７】
次に制御部１５は、第一給紙カセット１３１が指定された印刷ジョブで選択されている紙の属性を、第一給紙カセット１３１と対応付けて記憶する（Ｓ４３）。
【００４８】
ここで、印刷ジョブについて説明する。印刷ジョブは、ユーザーが操作部１４を用いてコピーを指示した場合と、複写機１０に接続されたＰＣ２０を用いてユーザーが印刷を指示した場合とに発生し、制御部１５によって取得される。いずれの場合においても、ユーザーはいずれかの給紙カセットを明示的に選択することも、しないこともできる。ユーザーがいずれかの給紙カセットを明示的に選択しない場合、ユーザーが選択した紙の属性に一致する紙の属性と対応付けて制御部１５に記憶されている給紙カセットが自動的に選択される。
【００４９】
第一給紙カセット１３１に対応する用紙登録タブＤ１１の一部また全部が操作部１４に表示されている期間中に、第一給紙カセット１３１が選択されている印刷ジョブを制御部１５が取得する状況としては、第一給紙カセット１３１に紙を補充したり入れ替えたりしたユーザーが複写機１０に接続されたＰＣ２０を用いて印刷を指示した可能性が高い。そのユーザーは第一給紙カセット１３１に積載されている紙の属性を知っており、また、自分自身が第一給紙カセット１３１に載置した紙の属性を登録していないことも知っている。制御部１５は、第一給紙カセット１３１が指定された印刷ジョブで選択されている紙の属性を、第一給紙カセット１３１と対応付けて記憶するため、そのユーザーが第一給紙カセット１３１を印刷部１６から取り外す前に第一給紙カセット１３１と対応付けて記憶されていた紙の属性と異なる属性の紙をユーザーが第一給紙カセット１３１に載置した場合、自分が第一給紙カセット１３１に載置した紙の属性を印刷設定として選択し、第一給紙カセット１３１を明示的に選択して印刷を指示すれば、用紙登録タブＤ１１を操作せずに紙の属性を登録できる。
【００５０】
６．他の実施形態
尚、本発明の技術的範囲は、上述した実施例に限定されるものではなく、本発明の要旨を逸脱しない範囲内において種々変更を加え得ることは勿論である。
【００５１】
例えば紙の属性を対応付けて登録する給紙カセットを選択するための選択要素としてのタブの凸部の配置を、給紙カセットの位置関係ではなく、給紙カセットに対する操作順に対応付けても良い。タブの凸部の配置を給紙カセットに対する操作順に対応付ける場合の用紙登録タブの一例を図９に示す。まず始めに第三給紙カセット１３３が印刷部１６に装着されると、図９Ａに示すように第三給紙カセット１３３に対応する用紙登録タブＤ３１が表示される。用紙登録タブＤ３１の構成は、右端の凸部の位置を除いて用紙登録タブＤ１１と同じである。用紙登録タブＤ３１の決定ボタンＤ２７が選択される前に第二給紙カセット１３２が印刷部１６に装着されると、図９Ｂに示すように、第二給紙カセット１３２に対応する用紙登録タブＤ３２が最前面に表示され、用紙登録タブＤ３１は右端の凸部を除いて非表示になる。用紙登録タブＤ３２の決定ボタンＤ２７が選択される前に第一給紙カセット１３１が印刷部１６に装着されると、図９Ｃに示すように、第一給紙カセット１３１に対応する用紙登録タブＤ３１が最前面に表示され、用紙登録タブＤ３２は右端の凸部を除いて非表示になる。ここで、第一給紙カセット１３１に対応する用紙登録タブＤ３１の右端の凸部は、第一給紙カセット１３１が第二給紙カセット１３２よりも第三給紙カセット１３３よりも後で装着されたため、用紙登録タブＤ３２の右端の凸部よりも、用紙登録タブＤ３３の右端の凸部よりも下に配置される。また第三給紙カセット１３３の右端の凸部は、第三給紙カセット１３３が第一給紙カセット１３１よりも第二給紙カセット１３２よりも先に装着されたため、用紙登録タブＤ３１の右端の凸部よりも、用紙登録タブＤ３１の右端の凸部よりも上に配置される。
【００５２】
図９Ｃに示すように用紙登録タブＤ３１、Ｄ３２、Ｄ３３が表示されている状態において用紙登録タブＤ３２の右端の凸部の表示領域がユーザーによって触られると、図１０Ａに示すように、用紙登録タブＤ３２の全体が表示され、第一給紙カセット１３１に対応する用紙登録タブＤ３１と第三給紙カセット１３３に対応する用紙登録タブＤ３３は右端の凸部を除いた残部が非表示になる。図１０Ａに示すように用紙登録タブＤ３１、Ｄ３２、Ｄ３３が表示されている状態において決定ボタンＤ２７の表示領域がユーザーによって触られる場合、用紙登録タブＤ３２を単に非表示にしても良いし、表示が残る用紙登録タブの右端の凸部の配置を、表示が残る用紙登録タブに対応する給紙カセットの装着順に応じて変更しても良い。例えば図１０Ａに示す状態から用紙登録タブＤ３１が非表示になると、用紙登録タブＤ３３に対応する第一給紙カセット１３１の装着順は、対応する紙の属性が登録されていない給紙カセットの全体で２位に繰り上がる。この場合には図１０Ｂに示すように、用紙登録タブＤ３３の右端の凸部を２位に対応する位置に変更した用紙登録タブＤ３４を第一給紙カセット１３１に対応するタブとして形成してもよい。
【００５３】
また例えば、紙の属性を対応付けて登録する給紙カセットを選択するための選択要素として、ラジオボタン、リストボックス等を用いても良い。選択要素としてラジオボタンを用いる場合の登録画面の一例を図１１に示す。図１１は、第一給紙カセット１３１と第三給紙カセット１３３が印刷部１６に装着された後に対応する紙の属性が登録されていない場合に表示される登録画面Ｄを示している。登録画面Ｄは、第一給紙カセット１３１に対応するラジオボタンＤ４１と、第三給紙カセット１３３に対応するラジオボタンＤ４２が配置されたウィンドウである。第二給紙カセット１３２は紙の属性を登録する対象ではないため、第二給紙カセット１３２に対応するラジオボタンは表示されない。そして、複数のラジオボタンが登録画面Ｄに配置されるとき、ラジオボタンの位置関係は給紙カセットの位置関係と一致させる。すなわち、第一給紙カセット１３１は第三給紙カセット１３３よりも上に位置するため、第一給紙カセット１３１に対応するラジオボタンＤ４１は第三給紙カセット１３３に対応するラジオボタンＤ４２よりも上に配置する。テキストボックスＤ２２、Ｄ２５、決定ボタンＤ２７、選択ボタンＤ２１，Ｄ２３，Ｄ２４，Ｄ２６と給紙カセットとの対応関係は、ラジオボタンＤ４１、Ｄ３２の表示状態によって示される。すなわち、ラジオボタンＤ４１が選択状態に表示されている場合、テキストボックスＤ２２、Ｄ２５に表示されている紙の属性が、決定ボタンＤ２７が選択されることによって、ラジオボタンＤ４１に対応する第一給紙カセット１３１に対応付けて記憶される。またラジオボタンＤ４２が選択状態に表示されている場合、テキストボックスＤ２２、Ｄ２５に表示されている紙の属性が、決定ボタンＤ２７が選択されることによって、ラジオボタンＤ４２に対応する第三給紙カセット１３３に対応付けて記憶される。そして、ラジオボタンが表示されている領域をユーザーが触ると、そのラジオボタンの表示が選択状態になり、その他のラジオボタンの表示が非選択状態になる。
【００５４】
また例えば、対応する紙の属性が複数の給紙カセットについて登録されていない状態において、複数の給紙カセットのそれぞれについて、対応する紙の属性を一括して登録できるようにしても良い。具体的には例えば図１２Ａに示すように用紙登録タブＤ１１、Ｄ１２、Ｄ１３のそれぞれに一括登録ボタンとしての一括決定ボタンＤ２８を配置し、いずれかの用紙登録タブに配置された一括決定ボタンＤ２８の表示領域をユーザーが触った場合には第一給紙カセット１３１、第二給紙カセット１３２、第三給紙カセット１３３のすべてについて、現在選択されている紙の属性を記憶しても良い。例えば図１２Ａに示すように用紙登録タブＤ１１、Ｄ１２、Ｄ１３が表示されているときに用紙登録タブＤ１１に配置されている個別登録ボタンとしての決定ボタンＤ２７の表示領域が触られた場合には、用紙登録タブＤ１１に対応する第一給紙カセット１３１に対応付けて、用紙登録タブＤ１１に配置されているテキストボックスＤ２２、Ｄ２５に表示されている紙の属性が記憶される。そして、用紙登録タブＤ１１が非表示になって、図１１Ｂに示すように用紙登録タブＤ１２、Ｄ１３が表示されている状態において、用紙登録タブＤ１２に配置された一括決定ボタンＤ２８の表示領域をユーザーが触った場合、用紙登録タブＤ１２に配置されているテキストボックスＤ２２、Ｄ２５に表示されている紙の属性が用紙登録タブＤ１２に対応する第二給紙カセット１３２に対応付けて記憶されるとともに、用紙登録タブＤ１３に配置されているが現在非表示になっているテキストボックスＤ２２、Ｄ２５に表示されるべき紙の属性が、用紙登録タブＤ１３に対応する第三給紙カセット１３３に対応付けて記憶される。
【００５５】
また例えば、印刷部から取り外し不能な１つ以上の給紙トレイを積載部として用いても良いし、給紙カセットと給紙トレイのそれぞれを積載部としても良い。また、そのような給紙トレイに対する紙の載置を、登録画面を形成するきっかけとなる所定の操作としてもよい。また紙の厚さ、白色度などを印刷媒体の属性として登録対象としてもよい。もちろん積載部の数は２以上であれば４以上でもよい。
【００５６】
また例えば、登録画面の表示領域が十分広い場合には、所定の操作が行われた後に対応する紙の属性が登録されていない積載部の数と同数のウィンドウを重ねずに選択要素として配置し、それぞれのウィンドウに登録要素を配置しても良い。この場合、各ウィンドウの位置関係は、対応する世紀細部の位置関係に対応させても良いし、給紙カセットの装着順や、紙の載置順に対応させても良い。ウィンドウが重ならない場合には、ウィンドウの全体が選択要素として機能する。
【００５７】
また例えば、２つめ以後の給紙カセットが装着された場合、後に装着された給紙カセットに対応する用紙登録タブを最前面に表示する代わりに、装着順に表示優先順位を設定してもよい。すなわち、最初に装着された給紙カセットに対応する用紙登録タブを最前面のレイヤーに配置し、その後に装着された給紙カセットに対応する用紙登録タブを背面のレイヤーに配置しても良い。
【００５８】
また例えば、タッチパネルディスプレイを用いる代わりに、登録画面を表示するディスプレイと、印刷指示部としてのスイッチパネルとを別に設けても良い。
また、動作の説明として所定時間待機をして確認を行うことを繰り返す代わりに、動作が行われることに応じて処理を進めるようにしてもよい。
【符号の説明】
【００５９】
１…印刷システム、１０…複写機、１３…操作部、１４…操作部、１５…制御部、１６…印刷部、１１１…紙センサー、１１２…紙センサー、１１２…紙センサー、１２１…脱着センサー、１２２…脱着センサー、１２３…脱着センサー、１３１…第一給紙カセット、１３２…第二給紙カセット、Ｄ…登録画面、Ｄ１１…用紙登録タブ、Ｄ１２…用紙登録タブ、Ｄ１３…用紙登録タブ、Ｄ２１…選択ボタン、Ｄ２２…テキストボックス、Ｄ２３…選択ボタン、Ｄ２４…選択ボタン、Ｄ２５…テキストボックス、Ｄ２６…選択ボタン、Ｄ２７…決定ボタン、Ｄ２８…一括決定ボタン、Ｄ３１…用紙登録タブ、Ｄ３２…用紙登録タブ、Ｄ３３…用紙登録タブ、Ｄ４１…ラジオボタン、Ｄ４２…ラジオボタン、ＤＨ…初期画面、Ｐ…紙
【図１】
2015047709.tif 000003
【図２】
2015047709.tif 000004
【図３】
2015047709.tif 000005
【図４】
2015047709.tif 000006
【図５】
2015047709.tif 000007
【図６】
2015047709.tif 000008
【図７】
2015047709.tif 000009
【図８】
2015047709.tif 000010
【図９】
2015047709.tif 000011
【図１０】
2015047709.tif 000012
【図１１】
2015047709.tif 000013
【図１２】
2015047709.tif 000014